【手続補正書】
【提出日】平成17年7月1日(2005.7.1)
【手続補正１】
【補正対象書類名】明細書
【補正対象項目名】発明の名称
【補正方法】変更
【補正の内容】
【発明の名称】給紙装置、および接続装置
【手続補正２】
【補正対象書類名】明細書
【補正対象項目名】特許請求の範囲
【補正方法】変更
【補正の内容】
【特許請求の範囲】
【請求項１】
用紙に所定の処理をなす処理部に向けて用紙を給送する給紙装置であって、複数枚の用紙を収容した収容容器を装置本体に対して脱着自在に備えた給紙装置において、
上記収容容器とは別に用紙を収容した収容部と、
この収容部から用紙を取出す第１の取出し手段と、
上記収容容器から用紙を取出す第２の取出し手段と、
上記収容容器が装置本体に対向した外側面に沿って設けられた上記収容部から上記処理部を通って延びた搬送路を有し、上記第１の取出し手段にて上記収容部から取出された用紙を上記搬送路を介して上記処理部へ搬送するとともに、上記第２の取出し手段にて上記収容容器から取出された用紙を上記搬送路を介して上記処理部へ搬送する搬送手段と、
上記搬送路に対向した上記収容容器の外側面に上記搬送路に沿って並設され、上記収容容器を装置本体に装着した状態で上記搬送路の一側を規定するとともに、上記収容容器を装置本体から離脱させた状態で上記搬送路の一側を開放する複数の第１のガイド手段と、
上記第１のガイド手段に対応して上記搬送路の他側で装置本体に固設され、上記第１のガイド手段との間で上記搬送路を規定する複数の第２のガイド手段と、を備え、
上記複数の第１のガイド手段のうち上記処理部に最も近い第１のガイド手段は、
上記搬送路の一側に対向した搬送ガイドと、
この搬送ガイドを上記収容容器の外側面に対して移動可能に支持した支持手段と、
この支持手段にて支持された搬送ガイドを上記搬送路に向けて付勢する付勢手段と、
上記収容容器が装置本体に装着された状態で、上記付勢手段による付勢力に抗して上記搬送ガイドを位置決めする位置決め手段と、
を有することを特徴とする給紙装置。
【請求項２】
装置本体に対してユニットを挿脱自在に接続する接続装置であって、
上記装置本体に固設された第１部材と、
上記ユニットを上記装置本体に接続した状態で、上記第１部材に対して位置決めされる第２部材と、
上記ユニットに対して上記第２部材を移動可能に取り付けた支持部材と、
この支持部材を上記第１部材に向けて付勢する付勢機構と、
上記ユニットを上記装置本体に接続したとき、上記付勢機構による付勢力を利用して、上記第１部材に対して上記第２部材を位置決めする位置決め機構と、
を有することを特徴とする接続装置。
【請求項３】
上記支持部材は、上記ユニットを上記装置本体に接続した状態で、上記付勢機構による付勢力を利用して上記第１部材に当接し、該第１部材と上記第２部材を導通することを特徴とする請求項２に記載の接続装置。
【請求項４】
上記支持部材は、上記ユニットを上記装置本体に接続した状態で、上記第１部材と第２部材との間のギャップを規定するスペーサーを有することを特徴とする請求項３に記載の接続装置。
【手続補正３】
【補正対象書類名】明細書
【補正対象項目名】０００１
【補正方法】変更
【補正の内容】
【０００１】
【発明の属する技術分野】
この発明は、プリンタや複写機などに組込まれた給紙装置、および接続装置に係り、特に、多数枚の用紙を収容した大容量フィーダーを含む給紙装置に関する。
【手続補正４】
【補正対象書類名】明細書
【補正対象項目名】０００９
【補正方法】変更
【補正の内容】
【０００９】
この発明は、以上の点に鑑みなされたもので、その目的は、露出可能な搬送パスを規定する搬送ガイドを正確に位置決めでき、各搬送ガイドを導通させるための専用の部材を必要とせず、用紙の搬送姿勢を安定させることができるとともに、装置の製造コストを低減できる給紙装置、および接続装置を提供することにある。
【手続補正５】
【補正対象書類名】明細書
【補正対象項目名】００１０
【補正方法】変更
【補正の内容】
【００１０】
【課題を解決するための手段】
上記目的を達成するため、この発明の給紙装置は、用紙を収容した収容容器を装置本体に対して脱着自在に備えたものであって、搬送ガイドを上記収容容器の外側面に対して移動可能に支持し、この搬送ガイドを搬送路に向けて付勢し、収容容器が装置本体に装着された状態で、付勢力に抗して上記搬送ガイドを位置決めする位置決め手段を有することを特徴とする。
また、この発明の接続装置は、装置本体に対してユニットを挿脱自在に接続する装置であって、上記装置本体に固設された第１部材と、上記ユニットを上記装置本体に接続した状態で、上記第１部材に対して位置決めされる第２部材と、上記ユニットに対して上記第２部材を移動可能に取り付けた支持部材と、この支持部材を上記第１部材に向けて付勢する付勢機構と、上記ユニットを上記装置本体に接続したとき、上記付勢機構による付勢力を利用して、上記第１部材に対して上記第２部材を位置決めする位置決め機構と、を有する。
【手続補正６】
【補正対象書類名】明細書
【補正対象項目名】００１１
【補正方法】変更
【補正の内容】
【００１１】
【発明の実施の形態】
以下、図面を参照しながらこの発明の実施の形態について詳細に説明する。
図１には、この発明の給紙装置として、数千枚単位の用紙を収容可能な大容量フィーダ２（以下、単にＬＣＦ２と称する）（ユニット）を含む複写機１の給紙部１０の構造を概略的に示してある。ＬＣＦ２は、複写機本体１（装置本体）の図中右側側面に形成された凹所１ａに対して挿脱自在に装着される。尚、ここでは、図中矢印方向にＬＣＦ２をスライドさせて、ＬＣＦ２を凹所１ａから離脱させた状態を図示してある。この状態で、ＬＣＦ２と複写機本体１の凹所１ａとの間に規定される搬送パス２０（後述する）が露出され、用紙のジャム処理が可能となる。
【手続補正７】
【補正対象書類名】明細書
【補正対象項目名】００２０
【補正方法】変更
【補正の内容】
【００２０】
また、図３には、ＬＣＦ２が凹所１ａにセットされた状態における、レジストローラ８手前の搬送パス２０周辺をさらに拡大して示してある。これによると、ＬＣＦ２の前面部２ａに設けられた搬送ガイド２１のうちレジストローラ８に最も近い最下流側の搬送ガイド２１ａ（第２部材）は、２系統の紙パスを通る用紙をガイドする。つまり、搬送ガイド２１ａは、ＬＣＦ２の前面部２ａと凹所１ａとの間に規定された搬送パス２０を介して図中矢印Ａ方向に搬送される用紙をレジストローラ８に向けてガイドする機能を有するとともに、ＬＣＦ２から取り出されて図中矢印Ｂ方向に搬送される用紙をレジストローラ８に向けてガイドする機能を有している。
【手続補正８】
【補正対象書類名】明細書
【補正対象項目名】００２４
【補正方法】変更
【補正の内容】
【００２４】
ＬＣＦ２側の搬送ガイド２１ａは、ＬＣＦ２に固設された支持フレーム２４に対し、導電性材料により形成された複数本のピン２３（支持部材）を介して可動的に取付けられている。
【手続補正９】
【補正対象書類名】明細書
【補正対象項目名】００２５
【補正方法】変更
【補正の内容】
【００２５】
つまり、各ピン２３の先端は、搬送ガイド２１ａを貫通してかしめられて固定されている。また、各ピン２３は、支持フレーム２４に取付けられた絶縁部分２５の孔２５ａにそれぞれスライド自在に嵌入されている。絶縁部分２５には、２本のピン２３を挿通するための２つの孔２５ａが形成されており、各孔２５ａの内径はピン２３の外径より１〜２mm程度大きく設定されている。さらに、各ピン２３の後端は、絶縁部分２５の背面側でストッパ２６によって固定されて抜き止めされている。尚、搬送ガイド２１ａと絶縁部分２５との間には、各ピン２３に巻き回された複数の圧縮バネ２７（付勢機構）が介在されており、搬送ガイド２１ａが搬送パス２０に向けて付勢されるようになっている。本実施の形態では、図示した構成が複写機１のフロント側およびリア側にそれぞれ１つずつ設けられ、４本のピン２３によって１つの搬送ガイド２１ａが支持されている。
【手続補正１０】
【補正対象書類名】明細書
【補正対象項目名】００２７
【補正方法】変更
【補正の内容】
【００２７】
一方、上記搬送ガイド２１ａに対向する位置に設けられ、この搬送ガイド２１ａとの間で搬送パス２０を規定する搬送ガイド２２ａ（第１部材）は、複写機本体１の凹所１ａの対応する部位に固設されている。尚、この搬送ガイド２２ａには、定電圧素子としての図示しないバリスタが接続され、このバリスタを介して搬送ガイド２２ａがアースされている。
【手続補正１１】
【補正対象書類名】明細書
【補正対象項目名】００３２
【補正方法】変更
【補正の内容】
【００３２】
また、本実施の形態によると、ＬＣＦ２を複写機本体１に装着した時点でＬＣＦ２側の搬送ガイド２１ａを本体１側の搬送ガイド２２ａに導通させることができる。このため、ＬＣＦ２側の搬送ガイド２１ａを他の部材から絶縁させた状態で支持できるとともに、本体１側の搬送ガイド２２ａを介してアースでき、従来、各搬送ガイド間に装着していた導通のための複数の板ばねが不要となり、装置を構成する部材点数を少なくでき、装置の製造コストを低減できる。
尚、この発明は、上述した実施の形態に限定されるものではなく、この発明の範囲内で種々変形可能である。例えば、上述した実施の形態では、複写機本体１に対してＬＣＦ２を接続する構造について説明したが、フィニッシャーなどの他のオプション装置を複写機本体に着脱可能に接続する接続部分に本発明を適用できる。
【手続補正１２】
【補正対象書類名】明細書
【補正対象項目名】００３３
【補正方法】変更
【補正の内容】
【００３３】
【発明の効果】
以上説明したように、この発明の給紙装置、および接続装置は、上記のような構成および作用を有しているので、露出可能な搬送パスを規定する搬送ガイドを正確に位置決めでき、各搬送ガイドを導通させるための専用の部材を必要とせず、用紙の搬送姿勢を安定させることができるとともに、装置の製造コストを低減できる。